(57)【特許請求の範囲】
【請求項１】
縦長の基枠体の上部と下部に傾動可能に取付けられた一対の鉤部材と、前記基枠体に対して上下動可能に支持された連結杆と、前記連結杆を上下動させるカム部材と、前記一対の鉤部材が掛止される一対の鉤受部材を有しており、前記カム部材をシリンダ錠の錠軸とともに軸回転させ、前記連結杆を介して前記一対の鉤部材を上下方向に傾動させ、前記各鉤部材を前記各鉤受部材から掛止解除させる遊技機用の施錠装置であって、
前記一対の鉤受部材の少なくとも一つには、掛止された前記鉤部材の上側位置または下側位置に突出して前記鉤部材の上下方向の傾動を規制する突出部が形成されており、
前記カム部材には、軸回転した際に前記連結杆を水平方向に押す水平押部と、前記連結杆に係合して前記連結杆を上下いずれかに移動させる係合部が形成されており、前記鉤部材が前記連結杆を介して前記カム部材によって傾動軸に沿って水平方向に移動または傾いて前記突出部を避けた位置にて上下に傾動する構成になっていることを特徴とする遊技機用の施錠装置。
【請求項２】
請求項１に記載の遊技機用の施錠装置であって、
鉤部材は、付勢部材によって傾動軸に沿って水平方向または傾く方向に付勢されることで鉤受部材の突出部の上側位置または下側位置に付勢されており、
カム部材は、前記付勢部材の付勢力に抗して前記鉤部材を傾動軸に沿って水平方向に移動させまたは傾かせる構成になっていることを特徴とする遊技機用の施錠装置。
【請求項３】
請求項２に記載の遊技機用の施錠装置であって、
基枠体に対して上下動可能に支持されたガラス枠用解錠杆を上下いずれかに付勢する前記付勢部材を有しており、前記付勢部材を利用して鉤部材を傾動軸に沿って水平方向または傾く方向に付勢していることを特徴とする遊技機用の施錠装置。
【発明の詳細な説明】
【技術分野】
【０００１】
本発明は、前枠を外枠に対して施錠する施錠装置に関する。とりわけ針金などを使用した不正解錠を防止するための機能を備える遊技機用の施錠装置に関する。
【背景技術】
【０００２】
従来、特許文献１，２に記載の施錠装置が知られている。
特許文献１に係る施錠装置は、縦長の基枠体の上部と下部に傾動可能に取付けられた一対の鉤部材と、基枠体に対して上下動可能に支持された連結杆を有しており、連結杆を上下動させることで一対の鉤部材が上下に傾動する構成になっている。また基枠体には、ロック部材が傾動可能に取付けられており、ロック部材は、連結杆を施錠位置にてロックすることで不正解錠を防止する構成になっている。
特許文献２に係る施錠装置は、ソレノイドバルブによって移動するロック片を有しており、ロック片にて鉤部材をロックする構成になっている。したがってソレノイドバルブとロック片によって不正解錠を防止できる構成になっている。
【特許文献１】特開２００４−１４１２５６号公報
【特許文献２】特開２００３−１９０５６４号公報
【発明の開示】
【発明が解決しようとする課題】
【０００３】
しかし特許文献１，２に係る施錠装置は、不正解錠を防止するための専用の部品を多く必要とする構成になっていた。そのためコスト高になる傾向にあった。
そこで本発明は、不正解錠防止機能を有し、かつ部品点数の少ない施錠装置を提供することを課題とする。
【課題を解決するための手段】
【０００４】
前記課題を解決するために本発明は、各請求項に記載の通りの構成を備える遊技機用の施錠装置であることを特徴とする。
請求項１に記載の発明によると、施錠装置は、一対の鉤部材と連結杆とカム部材と一対の鉤受部材を有しており、カム部材をシリンダ錠の錠軸とともに軸回転させ、連結杆を介して一対の鉤部材を上下方向に傾動させ、各鉤部材を各鉤受部材から掛止解除させる構成になっている。そして一対の鉤受部材の少なくとも一つには、掛止された鉤部材の上側位置または下側位置に突出して鉤部材の上下方向の傾動を規制する突出部が形成されている。カム部材には、軸回転した際に連結杆を水平方向に押す水平押部と、連結杆に係合して連結杆を上下いずれかに移動させる係合部が形成されており、鉤部材が連結杆を介してカム部材によって傾動軸に沿って水平方向に移動または傾いて突出部を避けた位置にて上下に傾動する構成になっている。
【０００５】
したがって施錠状態において、連結杆を針金などで上下に移動させようとしても、鉤部材が鉤受部材に形成された突出部によって上下方向に傾動できない。そのため突出部によって不正解錠が防止されている。また突出部は、鉤受部材に形成されており、鉤受部材は、不正解錠防止のためにわざわざ設けた部材ではない。そのため施錠装置は、部品点数を増やすことなく、あるいはほとんど増やすことなく、不正解錠防止機能を有している。
一方、解錠状態にする場合には、カム部材を軸回転させて、連結杆を介して鉤部材を操作する。これにより鉤部材が傾動軸に沿って水平方向に移動または傾き、鉤部材が突出部を避けた位置にて上下方向に傾動する。したがって鉤部材を鉤受部材から解除することができる。
【０００６】
請求項２に記載の発明によると、鉤部材は、付勢部材によって傾動軸に沿って水平方向または傾く方向に付勢されることで鉤受部材の突出部の上側位置または下側位置に付勢されており、カム部材は、その付勢部材の付勢力に抗して鉤部材を傾動軸に沿って水平方向に移動させまたは傾かせる構成になっている。
したがって施錠状態における鉤部材は、付勢部材によって鉤受部材の突出部の上側位置または下側位置に安定する。そのため鉤部材は、突出部によって確実に上下方向への傾動が規制される。
【０００７】
請求項３に記載の発明によると、基枠体に対して上下動可能に支持されたガラス枠用解錠杆を上下いずれかに付勢する付勢部材を有しており、その付勢部材を利用して鉤部材を傾動軸に沿って水平方向または傾く方向に付勢している。
したがって付勢部材の共通化によって施錠装置の部品点数の削減を図ることができる。
【発明の効果】
【０００８】
本発明によると、施錠装置は、不正解錠を防止することができ、かつ部品点数が少ない構成になる。
【発明を実施するための最良の形態】
【０００９】
実施の形態を図１〜６にしたがって説明する。
図１に示すように施錠装置１は、パチンコ機やスロット機などの遊技機１０に取付けられる施錠装置である。
遊技機１０は、外枠１１と前枠１２を有している。外枠１１は、矩形状であって、その一部が図１に記載されている。
前枠１２は、中央部に開口窓１２ａを有している板材であって、一対のヒンジ１３を介して外枠１１に対して回動可能に取付けられている。前枠１２は、外枠１１に対して閉じた位置と開いた位置との間を回動され、施錠装置１によって閉じた位置にて施錠される。
【００１０】
施錠装置１は、図１に示すように外枠１１に取付けられる一対の鉤受部材８と、前枠１２に取付けられる基枠体２を有している。そして基枠体２には、一対の鉤部材３と連結杆４とシリンダ錠５が取付けられている。
基枠体２は、図２に示すように断面Ｌ字状の縦長の部材であって、前枠１２の裏面に取付けられる取付板部２ａと、取付板部２ａから立設する支持板部２ｂを有している。
【００１１】
支持板部２ｂの上部と下部には、図３に示すように傾動軸（ピン）２２を介して鉤部材３が傾動可能に取付けられている。
鉤部材３の上端縁の中央には、凹状に掛止部３ｂが形成されている。鉤部材３の先端部には、厚み方向に折り曲げられた傾斜先端部３ａが形成されている。
【００１２】
連結杆４は、図３に示すように縦長の板材であって、基枠体２に対して上下方向に移動可能に支持されている。連結杆４の上部と下部には、ピン２３を介して鉤部材３の基端部が傾動可動に連結されている。したがって連結杆４を上下に移動させることで、一対の鉤部材３が上下に傾動する。
連結杆４と支持板部２ｂの間には、連結杆４を下方に付勢する付勢部材（例えばコイルスプリング）２０が取付けられている。したがって連結杆４を介して鉤部材３は、図２に示す水平位置に付勢されている。
【００１３】
連結杆４と支持板部２ｂの間には、図３に示すようにガラス枠用解錠杆７が上下方向に移動可能に支持されている。
ガラス枠用解錠杆７は、図示省略のガラス枠に向けて突出する係合凸部７ｂと、中央位置に形成された掛止部７ａと、上端部に形成された掛着部７ｃを有している。
係合凸部７ｂは、下方に移動することで図示省略のパチンコ機の金枠に設けたガラス枠施錠具の解錠片に作用し、ガラス枠施錠具を解錠動作する構成になっている。
掛着部７ｃは、図２に示すように支持板部２ｂから離間する方向に延出し、連結杆４を貫通し、先端部に付勢部材（コイルスプリングなど）２１の一端部が掛止されている。
付勢部材２１は、他端部が取付板部２ａの掛着部２ｃに掛止されることで、ガラス枠用解錠杆７を上方に付勢している。
【００１４】
また付勢部材２１は、図２，３に示すようにガラス枠用解錠杆７を連結杆４側に向けて水平方向にも付勢している。そして付勢部材２１は、ガラス枠用解錠杆７を介して連結杆４を支持板部２ｂから離間する方向に水平方向に付勢、あるいは図２の左端縁を中心に右端縁が紙面手前側に傾くように水平方向に傾く方向へ付勢している。
【００１５】
図３に示すように取付板部２ａの略中央には、シリンダ錠５が取付けられている。
シリンダ錠５は、取付板部２ａの挿通孔２ｄに挿通され、端部に形成されたフランジ５ａが取付板部２ａにねじ止めされている。
シリンダ錠５は、鍵が挿入される鍵穴と、鍵とともに軸回転する錠軸５ｂを有している。そして錠軸５ｂの先端部にカム部材６が固定されている。
【００１６】
カム部材６は、図４に示すように水平押部６ｃと係合部６ｂ，６ｄを有している。
水平押部６ｃは、カム本体部６ａの外周縁に立設されており、係合部６ｂ，６ｄは、カム本体部６ａから径方向に突出している。
水平押部６ｃは、図４（ａ）（ｂ）に示すようにカム部材６を矢印Ａ方向に軸回転させることで、連結杆４の係合部４ａの表面に当接し、係合部４ａを矢印Ｂ方向に押す。矢印Ｂ方向とは、水平方向であって、連結杆４の板厚方向および支持板部２ｂの板厚方向である。したがって連結杆４は、図２に示すように付勢部材２１に抗して支持板部２ｂ側に移動する。あるいは図２左端を中心に図２右端が水平方向に支持板部２ｂ側に傾く。
【００１７】
図４（ｂ）に示すように連結杆４が水平方向に移動または水平方向に傾くことで、図５（ａ）（ｂ）に示すように鉤部材３が連結杆４によって矢印Ｄ方向に移動する。すなわち鉤部材３が水平方向に支持板部２ｂ側に移動、あるいは傾動軸２２に対して水平方向に傾き、先端部が支持板部２ｂ側に移動する。
【００１８】
図４（ｂ）（ｃ）に示すようにカム部材６をさらに矢印Ａ方向に軸回転させると、係合部６ｂが係合部４ａの下端縁に当接する。そして係合部４ａが連結杆４を押上げ、連結杆４が上方に移動する。
連結杆４が上方に移動すると、図５（ｂ）（ｃ）に示すように鉤部材３が連結杆４によって矢印Ｅ方向に移動する。すなわち鉤部材３の先端部が下方に傾動する。
【００１９】
鉤受部材８は、図６に示すように断面略Ｌ字状であって、外枠１１に取付けられる取付板部８ａと、取付板部８ａの一側縁から立設する張出板部８ｂを有している。
張出板部８ｂは、図５，６に示すように鉤部材３が下側から掛止される掛止部８ｃと、掛止部８ｃの下側に突出する突出部８ｄを有している。
突出部８ｄは、図５（ａ）に示すように施錠状態において鉤部材３の下側位置に突出し、鉤部材３の先端部が下方に傾動することを規制する。
【００２０】
施錠状態から解錠状態する場合には、図４に示すようにカム部材６を矢印Ａ方向に回動させる。これにより鉤部材３が、図５に示すように傾動軸２２に沿って水平方向に移動または水平方向に傾いて、突出部８ｄを避けた位置に移動する。そして鉤部材３の先端部が下方に傾き、鉤部材３の掛止部３ｂが鉤受部材８の掛止部８ｃから外れる。したがって施錠装置１は、図５（ａ）に示す施錠状態から図５（ｃ）に示す解錠状態になる。そして前枠１２を閉じた位置から開いた位置へ回動させることができる。
【００２１】
施錠装置１を解錠状態から施錠状態にする場合には、前枠１２を開いた位置から閉じた位置に回動させ、鉤部材３を鉤受部材８に向けて移動させる（図１参照）。これによって鉤部材３の上端縁が鉤受部材８の掛止部８ｃに摺動し、鉤部材３の先端部が下方に傾動する。そして傾斜先端部３ａが鉤受部材８の突出部８ｄに当接し、鉤部材３が水平方向に押され、鉤部材３が突出部８ｄを避けながら下方に傾動する。そして鉤部材３が付勢部材２０の付勢力によって水平方向に向けて傾動し（図２参照）、付勢部材２１の付勢力によって図５（ａ）矢印Ｄ方向と逆の方向に移動し、突出部８ｄの上方位置に移動する。
【００２２】
ガラス枠用解錠杆７を作動させる場合には、図４（ａ）に示す矢印Ａ方向と逆方向にカム部材６を回転させる。これにより係合部６ｄがガラス枠用解錠杆７の掛止部７ａに係合し、掛止部７ａが係合部６ｄを押し下げられる。これによりガラス枠用解錠杆７が付勢部材２１に抗して下方に移動し、ガラス枠用解錠杆７によってガラス枠施錠具が解錠される。
【００２３】
以上のようにして施錠装置１が構成されている。
すなわち施錠装置１は、図１に示すように一対の鉤部材３、連結杆４、カム部材６、及び一対の鉤受部材８を有している。そして一対の鉤受部材８には、図５に示すように掛止された鉤部材３の下側位置に突出して鉤部材３の下方への傾動を規制する突出部８ｄが形成されている。カム部材６には、図４に示すように軸回転した際に連結杆４を水平方向に押す水平押部６ｃと、連結杆４に係合して連結杆４を上方に移動させる係合部６ｂが形成されている。そして鉤部材３が連結杆４を介してカム部材６によって図５に示すように傾動軸２２に沿って水平方向に移動または傾いて突出部８ｄを避けた位置にて上向に傾動する構成になっている。
【００２４】
したがって施錠状態において、連結杆４を針金などで上下に移動させようとしても、鉤部材３が鉤受部材８に形成された突出部８ｄによって下方に傾動できない。そのため突出部８ｄによって不正解錠が防止されている。また突出部８ｄは、鉤受部材８に形成されており、鉤受部材８は、不正解錠防止のためにわざわざ設けた部材ではない。そのため施錠装置１は、部品点数を増やすことなく、あるいはほとんど増やすことなく、不正解錠防止機能を有している。
一方、解錠状態にする場合には、図４，５に示すようにカム部材６を軸回転させて、連結杆４を介して鉤部材３を操作する。これにより鉤部材３が傾動軸２２に沿って水平方向に移動または傾き、鉤部材３が突出部８ｄを避けた位置にて下方に傾動する。したがって鉤部材３を鉤受部材８から解除することができる。
【００２５】
また鉤部材３は、図２に示すように付勢部材２１によって傾動軸２２に沿って水平方向または傾く方向に付勢されることで図５に示すように鉤受部材８の突出部８ｄの上側位置に付勢されている。そしてカム部材６は、付勢部材２１の付勢力に抗して鉤部材３を傾動軸に沿って水平方向に移動させまたは傾かせる構成になっている。
したがって施錠状態における鉤部材３は、付勢部材２１によって鉤受部材８の突出部８ｄの上側位置に安定する。そのため鉤部材３は、突出部８ｄによって確実に下方向への傾動が規制される。
【００２６】
また施錠装置１は、図２に示すようにガラス枠用解錠杆７を上方に付勢する付勢部材２１を有しており、その付勢部材２１を利用して鉤部材３を傾動軸方向に付勢している。
したがって付勢部材の共通化によって施錠装置１の部品点数の削減を図ることができる。
【００２７】
（他の実施の形態）
本発明は、上記の実施の形態に限定されず、以下の形態であっても良い。
（１）すなわち上記の実施の形態に係る施錠装置１は、鉤部材３が鉤受部材８に対して下側から掛止され、鉤部材３が鉤受部材８の突出部８ｄによって下方に傾動することが規制される構成になっていた。しかし鉤部材が鉤受部材に対して上側から掛止され、鉤受部材が、掛止された鉤部材の上側位置に突出する突出部を有し、鉤部材の上方への傾動が突出部によって規制される施錠装置であっても良い。
（２）上記の実施の形態に係る鉤部材３は、図２に示すようにガラス枠用解錠杆７を付勢する付勢部材２１によって傾動軸方向に付勢されていた。しかし鉤部材と基枠体の間に鉤部材を傾動軸方向に付勢する別の付勢部材を有する形態であっても良い。あるいは連結杆と基枠体の間に連結杆を水平方向に付勢し、連結杆を介して鉤部材を傾動軸方向に付勢する別の付勢部材を有する形態であっても良い。
（３）上記の実施の形態に係る一対の鉤受部材は、どちらも鉤部材の傾動を規制する突出部を有していた。しかし一対の鉤受部材の一つのみが鉤部材の傾動を規制する突出部を有する形態であっても良い。この形態であっても連結杆が一つの突出部と一つの鉤部材によって上下動に移動することが規制され得る。
【図面の簡単な説明】
【００２８】
【図１】遊技機の一部と施錠装置の斜視図である。
【図２】施錠装置の施錠状態における斜視図（ａ）と、解錠状態における斜視図（ｂ）である。
【図３】施錠装置の構成部品の斜視図である。
【図４】カム部材近傍の施錠装置の施錠状態における斜視図（ａ）と、施錠状態から解錠状態にする途中の斜視図（ｂ）と、解錠状態における斜視図（ｃ）である。
【図５】鉤部材近傍の施錠装置の施錠状態における斜視図（ａ）と、施錠状態から解錠状態にする途中の斜視図（ｂ）と、解錠状態における斜視図（ｃ）である。
【図６】鉤受部材の斜視図である。
【符号の説明】
【００２９】
１…施錠装置
２…基枠体
２ａ…取付板部
２ｂ…支持板部
３…鉤部材
３ａ…傾斜先端部
３ｂ…掛止部
４…連結杆
４ａ…係合部
５…シリンダ錠
５ａ…フランジ
５ｂ…錠軸
６…カム部材
６ｂ，６ｄ…係合部
６ｃ…水平押部
７…ガラス枠用解錠杆
８ａ…取付板部
８…鉤受部材
８ｃ…掛止部
８ｄ…突出部
１０…遊技機
１１…外枠
１２…前枠
２０，２１…付勢部材
２２…傾動軸
【図１】
0004741321.tif 000002
【図２】
0004741321.tif 000003
【図３】
0004741321.tif 000004
【図４】
0004741321.tif 000005
【図５】
0004741321.tif 000006
【図６】
0004741321.tif 000007